(57)【要約】【課題】安全性に優れるハーネス型安全帯の提供。【解決手段】ハーネス型安全帯１０は、装着者の肩に架け渡される一対の肩ベルト１２と一対の肩ベルト１２を連結する連結ベルト２０とを備えている。このハーネス型安全帯１０は、連結ベルト２０と肩ベルト１２とを連結する、一対の第一固定体２４を備えている。それぞれの第一固定体２４は、連結ベルト２０が連結される第一挿通部と、肩ベルト１２に縫着される第一重合部とを備えている。連結ベルト２０が第一挿通部と連結される連結挿通部を備えている。連結挿通部に肩ベルト１２が挿通されている。【選択図】図１
2020028386.tif 000002
【特許請求の範囲】
【請求項１】
装着者の肩に架け渡される一対の肩ベルトと前記一対の肩ベルトを連結する連結ベルトとを備えるハーネス型安全帯であって、
前記連結ベルトと前記肩ベルトとを連結する、一対の第一固定体を備えており、
それぞれの第一固定体が、前記連結ベルトが連結される第一挿通部と、前記肩ベルトに縫着される第一重合部とを備えており、
前記連結ベルトが前記第一挿通部と連結される連結挿通部を備えており、
前記連結挿通部に前記肩ベルトが挿通されている、ハーネス型安全帯。
【請求項２】
前記第一固定体がベルトからなっており、
前記第一固定体が折り返されて前記第一挿通部が形成されており、
前記第一固定体の一対の端部が前記肩ベルトに縫着されて前記第一重合部が形成されている、請求項１に記載のハーネス型安全帯。
【請求項３】
前記第一固定体の前記第一重合部が前記第一挿通部の下方に位置している請求項１又は２に記載のハーネス型安全帯。
【請求項４】
前記連結ベルトと前記肩ベルトとを連結する、一対の第二固定体を備えており、
それぞれの第二固定体が、前記連結ベルトが連結される第二挿通部と、前記肩ベルトに縫着される第二重合部とを備えている、請求項１から３のいずれかに記載のハーネス型安全帯。
【請求項５】
前記第一固定体が位置する前記肩ベルトの第一表面の裏の前記肩ベルトの第二表面に前記第二固定体が位置している、請求項４に記載のハーネス型安全帯。
【請求項６】
前記第二固定体の前記第二重合部と前記第二挿通部との位置関係が、前記第一固定体の前記第一重合部と前記第一挿通部との位置関係と、前記肩ベルトの長手方向において逆にされている請求項４又は５に記載のハーネス型安全帯。
【請求項７】
前記連結ベルトに連結環が連結されている、請求項１から６のいずれかに記載のハーネス型安全帯。
【請求項８】
前記連結ベルトが胸ベルトである、請求項１から７のいずれかに記載のハーネス型安全帯。
【請求項９】
前記連結ベルトが、連結及び連結解除可能な第一端部と第二端部を有する連結具と、一方の肩ベルトに連結された第一連結ベルト部と、他方の肩ベルトに連結された第二連結ベルト部とを備えており、
前記第一端部が前記第一連結ベルト部に連結されており、前記第二端部が前記第二連結ベルト部に連結されている、請求項１から８のいずれかに記載のハーネス型安全帯。
【発明の詳細な説明】
【技術分野】
【０００１】
本発明は、ハーネス型安全帯に関する。
【背景技術】
【０００２】
図１０には、特開２００４−１４１４８０公報のハーネス型安全帯２の肩掛けベルト４及び胸ベルト６の一部が示されている。図１０の実線で示される様に、ハーネス型安全帯２が装着された状態において、肩掛けベルト４の長手方向と胸ベルト６の長手方向は直交している。一対の肩掛けベルト４に胸ベルト６の端部６ａが縫着されている。図示されないが、この胸ベルト６が吊りベルトに連結されている。この吊りベルトに連結環を介して命綱が連結される。
【先行技術文献】
【特許文献】
【０００３】
【特許文献１】特開２００４−１４１４８０公報
【発明の概要】
【発明が解決しようとする課題】
【０００４】
図１０の一点鎖線で示された胸ベルト６は、装着者が吊り下げられた状態を表している。この吊り下げられた状態では、命綱によって、胸ベルト６が上方に引かれる。この胸ベルト６と肩掛けベルト４とは直交して縫着されており、この縫着された縫製部８では、肩掛けベルト４から胸ベルト６の端部６ａを引き裂く様に荷重が作用する。この縫製部８には、全体に均一にではなく、局所的に荷重が作用する。この局所的な荷重は、縫製部８の強度と耐久性を損なう。このハーネス型安全帯２は、安全性の観点から、更に改善の余地がある。
【０００５】
本発明の目的は、安全性に優れるハーネス型安全帯の提供にある。
【課題を解決するための手段】
【０００６】
本発明に係るハーネス型安全帯は、装着者の肩に架け渡される一対の肩ベルトと前記一対の肩ベルトを連結する連結ベルトとを備えている。
このハーネス型安全帯は、前記連結ベルトと前記肩ベルトとを連結する、一対の第一固定体を備えている。それぞれの第一固定体は、前記連結ベルトが連結される第一挿通部と、前記肩ベルトに縫着される第一重合部とを備えている。前記連結ベルトが前記第一挿通部と連結される連結挿通部を備えている。前記連結挿通部に前記肩ベルトが挿通されている。
【０００７】
好ましくは、前記第一固定体はベルトからなっている。前記第一固定体が折り返されて、前記第一挿通部が形成されている。前記第一固定体の一対の端部が前記肩ベルトに縫着されて、前記第一重合部が形成されている。
【０００８】
好ましくは、前記第一固定体の前記第一重合部は、前記第一挿通部の下方に位置している。
【０００９】
好ましくは、このハーネス型安全体は、一対の第二固定体を備えている。それぞれの第二固定体は、前記連結ベルトが連結される第二挿通部と、前記肩ベルトに縫着される第二重合部とを備えている。
【００１０】
好ましくは、前記第一固定体が位置する前記肩ベルトの第一表面の裏の、前記肩ベルトの第二表面に、前記第二固定体が位置している。
【００１１】
好ましくは、前記第二固定体の前記第二重合部と前記第二挿通部との位置関係は、前記第一固定体の前記第一重合部と前記第一挿通部との位置関係と、前記肩ベルトの長手方向において逆にされている。
【００１２】
好ましくは、前記連結ベルトに連結環が連結されている。
【００１３】
好ましくは、前記連結ベルトが胸ベルトである。
【００１４】
好ましくは、前記連結ベルトは、連結及び連結解除可能な第一端部と第二端部を有する連結具と、一方の肩ベルトに連結された第一連結ベルト部と、他方の肩ベルトに連結された第二連結ベルト部とを備えている。前記第一端部は、前記第一連結ベルト部に連結されている。前記第二端部は、前記第二連結ベルト部に連結されている。
【発明の効果】
【００１５】
本発明に係るハーネス型安全帯では、連結ベルトによって、第一固定体が、肩ベルトの長手方向に沿って引かれる。第一固定体の第一重合部と肩ベルトとに引き裂く様な荷重が作用しない。この第一重合部と肩ベルトとの縫着箇所に、局所的に荷重が作用することが抑制されている。このハーネス型安全帯は、安全性に優れる。
【図面の簡単な説明】
【００１６】
【図１】図１は、本発明の一実施形態に係るハーネス型安全帯が示された概念図である。
【図２】図２は、図１の連結ベルトと一対の肩ベルトの一部とが示された拡大図である。
【図３】図３（ａ）は図２の線分IIIa−IIIaに沿った断面図であり、図３（ｂ）は図２の線分IIIb−IIIbに沿った断面図である。
【図４】図４は図１のハーネス型安全帯の使用状態の説明図である。
【図５】図５は図１のハーネス型安全帯の他の使用状態の説明図である。
【図６】図６は図１のハーネス型安全帯の更に他の使用状態の説明図である。
【図７】図７は図１のハーネス型安全帯の更に他の使用状態の説明図である。
【図８】図８は、本発明の他の実施形態に係るハーネス型安全帯が示された概念図である。
【図９】図９は、図８の連結ベルトと一対の肩ベルトの一部とが示された拡大図である。
【図１０】図１０には、従来のハーネス型安全帯の連結ベルトの一部と肩ベルトの一部とが示された拡大図である。
【発明を実施するための形態】
【００１７】
以下、適宜図面が参照されつつ、好ましい実施形態に基づいて本発明が詳細に説明される。
【００１８】
図１には、背面から見たハーネス型安全帯１０が示されている。このハーネス型安全帯１０は、一対の肩ベルト１２と、一対の腿ベルト１４と、固定板１６と、背部連結環１８と、連結ベルトとしての胸ベルト２０と、胸部連結環２２と、一対の第一固定体２４と、一対の第二固定体２６と、を備えている。
【００１９】
それぞれの肩ベルト１２は、上方で折り返されている。この折り返しにより、肩ベルト１２には、前肩ベルト部１２ａ及び後肩ベルト部１２ｂが形成されている。前肩ベルト部１２ａ及び後肩ベルト部１２ｂは、それぞれ下方に向かって延びている。一方の後肩ベルト部１２ｂと他方の後肩ベルト部１２ｂとが交差して、交差部１２ｃが形成されている。肩ベルト１２は、長尺のベルトからなっている。
【００２０】
それぞれの腿ベルト１４は、後腿ベルト部１４ａ、前腿ベルト部１４ｂ及びバックル１４ｃを備えている。後腿ベルト部１４ａは、前肩ベルト部１２ａに連続して下方に延びており、下方で折り返されている。前腿ベルト部１４ｂは、後肩ベルト部１２ｂに連続して下方に延びている。この後腿ベルト部１４ａ及び前腿ベルト部１４ｂのそれぞれは、長尺のベルトからなっている。バックル１４ｃは、バックル本体１４ｄ及びタングプレート１４ｅを備えている。この腿ベルト１４では、バックル本体１４ｄは、前腿ベルト部１４ｂの端部に連結されている。タングプレート１４ｅは、後腿ベルト部１４ａの端部に連結されている。このバックル本体１４ｄにタングプレート１４ｅが挿入されて連結され、バックル本体１４ｄからタングプレート１４ｅが引き抜かれて連結解除可能にされている。このバックル１４ｃによって、後腿ベルト部１４ａと前腿ベルト部１４ｂとは、連結及び連結解除可能にされている。
【００２１】
固定板１６は、交差部１２ｃに配置されている。この固定板１６に、一対の後肩ベルト１２ｂが互いに交差して通されている。この固定板１６は、一対の後肩ベルト１２ｂに取り付けられている。
【００２２】
背部連結環１８は、交差部１２ｃで、固定板１６と一対の後肩ベルト部１２ｂとに取り付けられている。この背部連結環１８は、基部１８ａ及び湾曲部１８ｂを備えている。基部１８ａは、略直線状に延びている。湾曲部１８ｂは基部１８ａの一端部から他端部まで基部１８ａから離れる向きに凸状に湾曲して延びている。この湾曲部１８ｂは滑らかな曲線で湾曲している。この基部１８ａは、交差する一対の後肩ベルト部１２ｂと固定板１６とに挟まれて、取り付けられている。
【００２３】
図２には、連結ベルトとしての胸ベルト２０と一対の肩ベルト１２の一部とが示されている。この図２には、前方から見た胸ベルト２０が示されている。図２は、ハーネス型安全帯１０の肩ベルト１２が装着者の肩に掛けられた状態を表している。
【００２４】
胸ベルト２０は、第一連結ベルト部としての第一胸ベルト部２０ａと、第二連結ベルト部としての第二胸ベルト部２０ｂと、連結具としてのバックル２０ｃとを備えている。第一胸ベルト部２０ａは、一方の肩ベルト１２に連結されている。第二胸ベルト部２０ｂは、他方の肩ベルト１２に連結されている。このバックル２０ｃは、第一端部としてのバックル本体２０ｄと、第二端部としてのタングプレート２０ｅと、を備えている。この胸ベルト２０では、バックル本体２０ｄは、第一胸ベルト部２０ａの端部に連結されている。タングプレート２０ｅは、第二胸ベルト部２０ｂの端部に連結されている。このバックル本体２０ｄにタングプレート２０ｅが挿入されて連結され、バックル本体２０ｄからタングプレート２０ｅが引き抜かれて連結解除可能にされている。このバックル２０ｃによって、第一胸ベルト部２０ａと第二胸ベルト部２０ｂとは、連結及び連結解除可能にされている。
【００２５】
胸部連結環２２は、胸ベルト２０に連結されている。この胸ベルト２０では、第二胸ベルト部２０ｂに連結されている。胸部連結環２２は、基部２２ａ及び湾曲部２２ｂを備えている。基部２２ａは、略直線状に延びている。湾曲部２２ｂは基部２２ａの一端部から他端部まで基部２２ａから離れる向きに凸状に湾曲して延びている。この湾曲部２２ｂは滑らかな曲線で湾曲している。この基部２２ａは、第二胸ベルト部２０ｂに取り付けられている。なお、この胸部連結環２２と胸ベルト２０との連結には、図示されない吊りベルトを介して、胸部連結環２２と胸ベルト２０とが連結されることを含む。
【００２６】
図３（ａ）には、図２の線分IIIａ−IIIaに沿った断面が示されている。図３（ｂ）には、線分IIIｂ−IIIｂに沿った断面が示されている。
【００２７】
それぞれの第一固定体２４は、ベルトからなっている。この第一固定体２４が折り返されて、端部２４ａ及び端部２４ｂは、肩ベルト１２に縫着されている。このハーネス型安全帯１０では、端部２４ａ及び端部２４ｂは、前肩ベルト部１２ａの内側の第一表面１２ｄに重ね合わされて縫着されている。第一固定体２４は、肩ベルト１２の長手方向に沿って配置されている。この第一固定体２４では、この縫着によって、第一重合部２４ｃと第一挿通部２４ｄとが形成されている。この第一重合部２４ｃは、肩ベルト１２の長手方向において、第一挿通部２４ｄの下方に位置している。
【００２８】
それぞれの第二固定体２６は、ベルトからなっている。この第二固定体２６が折り返されて、端部２６ａ及び端部２６ｂは、肩ベルト１２に縫着されている。このハーネス型安全帯１０では、端部２６ａ及び端部２６ｂは、前肩ベルト部１２ａの外側の第二表面１２ｅに重ね合わされて縫着されている。第二固定体２６は、肩ベルト１２の長手方向に沿って配置されている。この第二表面１２ｅは、第一表面１２ｄの裏の表面である。この第二固定体２６では、この縫着によって、第二重合部２６ｃと第二挿通部２６ｄとが形成されている。この第二重合部２６ｃは、肩ベルト１２の長手方向において、第二挿通部２６ｄの上方に位置している。第二重合部２６ｃと第二挿通部２６ｄとの位置関係は、第一重合部２４ｃと第一挿通部２４ｄとの位置関係と、肩ベルト１２の長手方向において、上下逆にされている。
【００２９】
図３（ａ）及び図３（ｂ）に示される様に、第一胸ベルト部２０ａは、折り返されて、一対の端部が重ね合わされて縫着されている。これにより、第一胸ベルト部２０ａには、第一胸縫製部２０ｆと第一胸挿通部２０ｇとが形成されている。第一胸挿通部２０ｇに、一方の第一挿通部２４ｄと一方の第二挿通部２６ｄと一方の肩ベルト１２（一方の前肩ベルト部１２ａ）とが通されている。この様にして、第一胸ベルト部２０ａは、一方の肩ベルト１２に連結されている。
【００３０】
図示されないが、第二胸ベルト部２０ｂは、折り返されて、一対の端部が重ね合わされて縫着されている。これにより、第二胸ベルト部２０ｂには、第二胸縫製部２０ｊと第二胸挿通部２０ｋとが形成されている。この第二胸挿通部２０ｋに他方の第一挿通部２４ｄと他方の第二挿通部２６ｄと他方の肩ベルト１２（他方の前肩ベルト部１２ａ）とが通されている。この様に第一胸ベルト部２０ａと同様にして、第二胸ベルト部２０ｂは、他方の肩ベルト１２に連結されている。
【００３１】
図４には、ハーネス型安全帯１０が身体模型２８に装着された状態が示されている。肩ベルト１２は、身体模型２８の肩２８ａに装着されている。腿ベルト１４は、身体模型２８の腿２８ｂに装着されている。胸ベルト２０は、身体模型２８の胸２８ｃの前に位置している。バックル本体２０ｄにタングプレート２０ｅが挿入されて連結されている。胸部連結環２２は、胸ベルト２０に連結されて、一対の肩ベルト１２の中間に位置している。
【００３２】
図５には、図４の身体模型２８が吊り下げられた状態が示されている。図示されないが、胸部連結環２２に連結された命綱によって、胸ベルト２０が上方に引かれる。図５の矢印Ｆａは、墜落阻止時にハーネス型安全帯１０に作用する大きな衝撃荷重を表している。矢印Ｆｃは、胸ベルト２０に作用する荷重を表している。矢印Ｆｓは、肩ベルト１２に作用する荷重を表している。
【００３３】
第一胸ベルト部２０ａでは、荷重Ｆｃによって、第一胸挿通部２０ｇから第一胸縫製部２０ｆに向かって引張荷重が生じる。第二胸ベルト部２０ｂでは、荷重Ｆｃによって、第二胸挿通部２０ｋから第二胸縫製部２０ｊに向かって引張荷重が生じる。胸ベルト２０は、逆Ｖ字状に変形している。一対の肩ベルト１２は、胸ベルト２０の変形に伴って、互いに近付く内向きに屈曲している。
【００３４】
図６には、肩ベルト１２の一部と胸ベルト２０の一部と第一固定体２４と第二固定体２６との連結構造が示されている。図５のハーネス型安全帯１０では、図６の胸ベルト２０は、荷重Ｆｃによって上方に引っ張られる。一方で、肩ベルト１２は、荷重Ｆｓで第一重合部２４ｃの縫着位置から下方に向かって引っ張られる。これにより、胸ベルト２０の第一胸挿通部２０ｇと第一固定体２４の第一挿通部２４ｄとの間で引張荷重が作用する。
【００３５】
このとき、第一挿通部２４ｄと第一重合部２４ｃとの間にも引張荷重が作用する。第一胸挿通部２０ｇに肩ベルト１２が挿通されているので、第一挿通部２４ｄと第一重合部２４ｃとの間において、この引張荷重は、肩ベルト１２の長手方向に沿って作用する。この引張荷重は、この第一重合部２４ｃを肩ベルト１２から引き裂く向きに作用しない。この引張荷重に対して、第一重合部２４ｃと肩ベルト１２との縫着は、高い強度と優れた耐久性とを発揮する。
【００３６】
この第一重合部２４ｃと肩ベルト１２との縫着では、縫い目が肩ベルト１２の長手方向に垂直に並べられている。この縫着では、長手方向に垂直に並ぶ縫い糸に略一様に引張荷重が作用する。この縫着によって、更に高い強度と優れた耐久性とが発揮される。
【００３７】
また、第一胸挿通部２０ｇと第一胸縫製部２０ｆとの間にも引張荷重が作用する。この引張荷重は、この第一胸縫製部２０ｆでは、重ね合わされた一対の端部を引き裂く向きに作用しない。この第一胸縫製部２０ｆは、局所的に荷重が作用することが抑制されている。この引張荷重に対して、この第一胸縫製部２０ｆは、高い強度と優れた耐久性とを発揮する。第一胸縫製部２０ｆは、墜落阻止時の大きな衝撃荷重に対しても、高い強度と優れた耐久性とを発揮する。
【００３８】
第一固定体２４は、ベルトからなっている。第一固定体２４が折り返されて、第一挿通部２４ｄと第一重合部２４ｃが形成されている。この第一固定体２４は、肩ベルト１２や胸ベルト２０と、同様のベルトを用いて、容易に構成されうる。なお、本発明の第一固定体２４は、ベルトからなるものに限られない。例えば、帯状のベルトの一端部が肩ベルト１２に縫着され第一重合部２４ｃが形成され、このベルトの他端部に連結金具が連結されて第一挿通部２４ｄが形成されてもよい。
【００３９】
この第一固定体２４では、肩ベルト１２の長手方向において、第一重合部２４ｃが第一挿通部２４ｄの下方に位置している。これにより、胸ベルト２０が荷重Ｆｃの様に上方に向かって大きな衝撃荷重が作用するときに、高い強度と優れた耐久性とを発揮する。
【００４０】
ここでは、一方の肩ベルト１２と第一胸ベルト部２０ａと一方の第一固定体２４との連結構造について説明がされたが、他方の肩ベルト１２と第二胸ベルト部２０ｂと他方の第一固定体２４との連結構造についても、同様に、高い強度と優れた耐久性とを発揮する。
【００４１】
図７には、ハーネス型安全帯１０の胸ベルト２０が、荷重Ｆｃ’によって下方に引っ張られる状態が示されている。このハーネス型安全帯１０は、一対の第一固定体２４に加えて、一対の第二固定体２６を備えている。このとき、肩ベルト１２は、荷重Ｆｓ’で第二重合部２６ｃの縫着位置から上方に向かって引っ張られる。
【００４２】
この第二固定体２６は、胸ベルト２０がハーネス型安全帯１０に対して、下方に引っ張られたときに、第二挿通部２６ｄと第二重合部２６ｃとの間に引張荷重が作用する。第一胸挿通部２０ｇに肩ベルト１２が挿通されているので、第二挿通部２６ｄと第二重合部２６ｃとの間において、この引張荷重は、肩ベルト１２の長手方向に沿って作用する。この引張荷重は、この第二重合部２６ｃを肩ベルト１２から引き裂く向きに作用しない。この引張荷重に対して、第二重合部２６ｃと肩ベルト１２との縫着は、高い強度と優れた耐久性とを発揮する。このハーネス型安全帯１０の装着者の墜落阻止時には、胸ベルト２０が下方に引かれる大きな衝撃荷重に対して、第二重合部２６ｃと肩ベルト１２との縫着は、高い強度と優れた耐久性とを発揮する。
【００４３】
このハーネス型安全帯１０では、第一固定体２４が位置する第一表面１２ｄの裏の、第二表面１２ｅに第二固定体２６が位置している。第一固定体２４と第二固定体２６とが肩ベルト１２の厚さ方向において、肩ベルト１２を挟み込んでいる。これにより、胸ベルト２０は、一つの第一胸挿通部２０ｇで、肩ベルト１２と第一固定体２４と第二固定体２６とに、容易に連結されている。
【００４４】
なお、第一表面１２ｄ及び第二表面１２ｅのいずれか一方の表面に、第一固定体２４と第二固定体２６とが位置してもよい。例えば、第一固定体２４の第一挿通部２４ｄと第二固定体２６の第二挿通部２６ｄとを肩ベルト１２の長手方向に位置をずらして設け、それぞれが別々の胸挿通部と連結されてもよい。
【００４５】
このハーネス型安全帯１０では、第二重合部２６ｃと第二挿通部２６ｄとの位置関係は、第一重合部２４ｃと第一挿通部２４ｄとの位置関係と、肩ベルト１２の長手方向において逆にされている。言い換えると、第一固定体２４と第二固定体２６とが上下方向逆向きにされている。これにより、胸ベルト２０が上方に引っ張られても、下方に引っ張られても、高い強度と優れた耐久性とを発揮しうる。更に、墜落阻止時の大きな衝撃荷重によって、胸ベルト２０が上方に引っ張られても、下方に引っ張られても、高い強度と優れた耐久性とを発揮しうる。
【００４６】
このハーネス型安全帯１０では、第一固定体２４と第二固定体２６とが上下方向逆向きにされたものに限られない。第一固定体２４と第二固定体２６とは、肩ベルト１２の長手方向に同じ向きにされてもよい。これにより、更に強固に、肩ベルト１２と胸ベルト２０とが連結される。このハーネス型安全帯１０は、第二固定体２６を備えることで、肩ベルト１２と胸ベルト２０との連結構造について、更に高い強度と優れた耐久性とを発揮する。
【００４７】
この胸ベルト２０に胸部連結環２２が連結されている。この胸部連結環２２に命綱が連結される。これにより、装着者の墜落阻止時に作用する衝撃荷重は、肩ベルト１２から胸ベルト２０を介して命綱に作用する。このハーネス型安全帯１０は、墜落阻止の安全性に優れている。このハーネス型安全帯１０では、胸ベルト２０に直に胸部連結環２２が連結されたが、胸ベルト２０に吊りベルト等を介して胸部連結環２２が連結されてもよい。この場合には、一対の肩ベルト１２の間で、胸ベルト２０の長手方向において、胸ベルト２０の中央で、吊りベルト等と連結されることが好ましい。
【００４８】
このハーネス型安全帯１０では、胸ベルト２０を例に説明がされたが、連結ベルトはこれに限られない。一対の肩ベルト１２と交差して連結するベルトであればよい。例えば、この連結ベルトは、装着者の背面で一対の肩ベルト１２（後肩ベルト部１２ｂ）を連結していてもよい。
【００４９】
胸ベルト２０は、バックル２０ｃを備えている。バックル本体２０ｄとタングプレート２０ｅとが連結及び連結解除可能にされている。第一胸ベルト部２０ａと第二胸ベルト部２０ｂとが連結及び連結解除可能にされている。これにより、装着者は、このハーネス型安全帯１０を容易に着用し、容易に取り外すことができる。このバックル２０ｃを備えることで、墜落阻止時の衝撃荷重に対して十分な強度を確保しつつ、ハーネス型安全帯１０の着脱が容易にされている。
【００５０】
図８には本発明の他の実施形態に係るハーネス型安全帯３０が示されている。ここでは、ハーネス型安全帯１０と異なる構成について説明がされ、ハーネス型安全帯１０と同様の構成について説明が省略される。また、ハーネス型安全帯１０と同様の構成については、同じ符号を用いて説明がされる。
【００５１】
このハーネス型安全帯３０は、第二固定体２６を備えない他は、ハーネス型安全帯１０と同様の構成を備えている。
【００５２】
図９には、胸ベルト２０と一対の肩ベルト１２の一部とが示されている。図９は、ハーネス型安全帯３０の肩ベルト１２が装着者の肩に掛けられた状態を表している。それぞれの第一固定体２４には、第一重合部２４ｃと第一挿通部２４ｄとが形成されている。第一胸ベルト部２０ａには、第一胸縫製部２０ｆと第一胸挿通部２０ｇとが形成されている。第一胸挿通部２０ｇに、一方の第一挿通部２４ｄと一方の肩ベルト１２（一方の前肩ベルト部１２ａ）とが通されている。第二胸ベルト部２０ｂには、第二胸縫製部２０ｊと第二胸挿通部２０ｋとが形成されている。第二胸挿通部２０ｋに、他方の第一挿通部２４ｄと他方の肩ベルト１２（他方の前肩ベルト部１２ａ）とが通されている。この様にして、第二胸ベルト部２０ｂは、他方の肩ベルト１２に連結されている。
【００５３】
このハーネス型安全帯３０では、装着者の墜落阻止時には、胸ベルト２０が上方に引かれる大きな衝撃荷重に対して、第一重合部２４ｃと肩ベルト１２との縫着は、高い強度と優れた耐久性とを発揮する。
【００５４】
このハーネス型安全帯３０に例示する様に、本発明に係るハーネス型安全帯は、第一固定体２４と第二固定体２６との両方を備えるものに限られない。このハーネス型安全帯３０の様に、第一固定体２４を備えていれば、胸ベルト２０が上方に引かれる大きな衝撃荷重に対して、優れた安全性を発揮しうる。図示されないが、第一固定体２４を備えず、第二固定体２６を備えるハーネス型安全帯は、胸ベルト２０が下方に引かれる大きな衝撃荷重に対して、優れた安全性を発揮しうる。
【実施例】
【００５５】
以下、実施例によって本発明の効果が明らかにされるが、この実施例の記載に基づいて本発明が限定的に解釈されるべきではない。
【００５６】
［実施例１］
図８に示されたハーネス型安全帯が準備された。
【００５７】
［比較例１］
胸ベルトの端部を、図１０のハーネス型安全帯と同様に、肩ベルトに直に縫着した。その他は、実施例１と同様にされたハーネス型安全帯が準備された。
【００５８】
［強度試験］
それぞれの胸ベルトの胸部連結環と肩ベルト（前肩ベルト部）の下方端部との間に引張荷重を付加した。それぞれ縫製箇所に破断が生じる引張荷重が測定された。比較例１の破断荷重を１００としたときの、実施例１の破断荷重の大きさが指数で表されている。この結果が、下記の表１の「破断荷重（指数）」の欄に示されている。この指数は大きいほど、破断荷重が大きい。この指数は大きいほど好ましい。
【００５９】
【表１】
2020028386.tif 000003
【００６０】
表１に示されるように、実施例のハーネス型安全帯は、比較例のハーネス型安全帯に比べて評価が高い。この評価結果から、本発明の優位性は明らかである。
【産業上の利用可能性】
【００６１】
以上説明されたハーネス型安全帯は、高所作業に用いられるハーネス型安全帯に広く適用されうる。
【符号の説明】
【００６２】
１０、３０・・・ハーネス型安全帯
１２・・・肩ベルト
１２ｄ・・・第一表面
１２ｅ・・・第二表面
２０・・・胸ベルト（連結ベルト）
２０ａ・・・第一胸ベルト部（第一連結ベルト部）
２０ｂ・・・第二胸ベルト部（第二連結ベルト部）
２０ｃ・・・バックル（連結具）
２０ｄ・・・バックル本体（第一端部）
２０ｅ・・・タングプレート（第二端部）
２０ｇ・・・第一胸挿通部（連結挿通部）
２０ｋ・・・第二胸挿通部（連結挿通部）
２２・・・胸部連結環（連結環）
２４・・・第一固定体
２４ｃ・・・第一重合部
２４ｄ・・・第一挿通部
２６・・・第二固定体
２６ｃ・・・第二重合部
２６ｄ・・・第二挿通部
【図１】
2020028386.tif 000004
【図２】
2020028386.tif 000005
【図３】
2020028386.tif 000006
【図４】
2020028386.tif 000007
【図５】
2020028386.tif 000008
【図６】
2020028386.tif 000009
【図７】
2020028386.tif 000010
【図８】
2020028386.tif 000011
【図９】
2020028386.tif 000012
【図１０】
2020028386.tif 000013